(57)【要約】【課題】製造コストを低減しながら、すっきりと美しいデザインとし、しかも両面をバランスよく十分な強度にする。【解決手段】建物用のフレームレスドアは、ドアの第１の表面に固定している第１の表面板１と、第２の表面に固定している第２の表面板２とを備える。第１の表面板１と第２の表面板２は金属板で、その側縁に沿って、一方にはドアの内側に折曲されてなる挿入片３を、他方にはこの挿入片３の挿入位置に挿入溝４を設けている。第１の表面板１と第２の表面板２は、挿入片３を挿入溝４に挿入して、両側の側縁で連結している。さらに、第１の表面板１は、一方の側縁に沿って折曲されたＵ曲積層部６を備える。このＵ曲積層部６の内側に積層している内側積層片７は、ドアの内側に直角に折曲してなる補強片８を有すると共に、この補強片８を、挿入片３又はドアの側面をカバーする側面プレート９としている。【選択図】図４
2009024399.tif 000002
【特許請求の範囲】
【請求項１】
建物用のフレームレスドアであって、ドアの第１の表面に固定している第１の表面板(1)と、ドアの第１の表面と反対側の面である第２の表面に固定している第２の表面板(2)とを備え、第１の表面板(1)と第２の表面板(2)は金属板で、
第１の表面板(1)と第２の表面板(2)は、その側縁に沿って、一方にはドアの内側に折曲されてなる挿入片(3)を、他方にはこの挿入片(3)の挿入位置に挿入溝(4)を設けており、挿入片(3)が挿入溝(4)に挿入されて、第１の表面板(1)と第２の表面板(2)とが両側の側縁で連結されており、
さらに、第１の表面板(1)は、一方の側縁である第１の側縁に沿って折り返すように折曲されたＵ曲積層部(6)を備え、さらに、このＵ曲積層部(6)の内側に積層している内側積層片(7)は、ドアの内側に直角に折曲してなる補強片(8)を有すると共に、この補強片(8)を、挿入片(3)又はドアの側面をカバーする側面プレート(9)としてなる建物用のフレームレスドア。
【請求項２】
第１の表面板(1)が、一方の側縁に設けたＵ曲積層部(6)を防犯用目板(5)としている請求項１に記載される建物用のフレームレスドア。
【請求項３】
第１の表面板(1)の補強片(8)が挿入片(3)で、第２の表面板(2)は、金属板が折曲加工されて、第１の表面板(1)の挿入片(3)の挿入位置に挿入溝(4)を設けており、第２の表面板(2)の挿入溝(4)に第１の表面板(1)の挿入片(3)が挿入されて、第１の表面板(1)と第２の表面板(2)が側縁で連結されてなる請求項１または２に記載される建物用のフレームレスドア。
【請求項４】
第１の表面板(1)が両側縁に挿入片(3)を備え、第２の表面板(2)が両側縁に挿入溝(4)を有し、挿入片(3)を挿入溝(4)に入れて第１の表面板(1)と第２の表面板(2)を連結している請求項３に記載される建物用のフレームレスドア。
【請求項５】
第１の表面板(1)の補強片(8)が側面プレート(9)で、この側面プレート(9)の先端に挿入溝(4)を連結して設けており、第２の表面板(2)は、金属板が折曲加工されて、第１の表面板(1)の挿入溝(4)に挿入される挿入片(3)を側縁に沿って設けており、第１の表面板(1)の挿入溝(4)に第２の表面板(2)の挿入片(3)が挿入されて、第１の表面板(1)と第２の表面板(2)が側縁で連結されてなる請求項１または２に記載される建物用のフレームレスドア。
【請求項６】
第１の表面板(1)が両側縁に挿入溝(4)を備え、第２の表面板(2)が両側縁に挿入片(3)を備え、挿入片(3)を挿入溝(4)に入れて第１の表面板(1)と第２の表面板(2)を連結している請求項５に記載される建物用のフレームレスドア。
【請求項７】
第１の表面板(1)と第２の表面板(2)の上縁に沿って上枠(11)が、下縁に沿って下枠(12)が内蔵され、第１の表面板(1)と第２の表面板(2)の上縁が上枠(11)に固定され、下縁が下枠(12)に固定されてなる請求項１または２に記載される建物用のフレームレスドア。
【請求項８】
第１の表面板(1)と第２の表面板(2)の側縁の蝶番(14)を固定する位置に固定台(16)を内蔵している請求項１または２に記載される建物用のフレームレスドア。
【請求項９】
第１の表面板(1)と第２の表面板(2)の側縁のドアロック(15)を固定する位置に固定台(17)を内蔵しいる請求項１または２に記載される建物用のフレームレスドア。
【発明の詳細な説明】
【技術分野】
【０００１】
本発明は、建物用のドアに関し、とくに四角形に枠組みしている補強フレームを省略したフレームレスドアに関する。ただし、本発明において「フレームレスドア」は、四角形に枠組みしている全てのフレーム、すなわち縦枠と横枠の両方を省略したものに特定するものではなく、縦枠のみを省略したドアも含む広い意味に使用する。
【背景技術】
【０００２】
現在の一般的なドアの水平断面を図１に示す。このドアは、縦枠と横枠を四角形に枠組したフレーム９１の両面に、第１と第２の表面板９２を固定している。このドアは、Ｃチャンネル９３で四角形のフレーム９１を作り、このフレーム９１の両面に表面板９２を固定している。第１と第２の表面板９２は、側縁を内側にコ字状に折り曲げて、互いに当接するようにフレーム９１に固定している。この図に示すドアは、これまでに製造方法や構造が充分に考えられて、限界に近い状態までコストダウンされている。このため、さらにコストダウンすることは極めて難しい。重いフレームを方形状に組み立てるので、原料コストと組み立て加工のコストが高くなるからである。このために、図１に示すドアは、さらに安価に多量生産することができない。
【０００３】
図１に示す従来のドアは、周縁に沿って厚い金属製のＣチャンネル９３を内蔵するので、全体の重量が相当に重くなる。たとえば、Ｃチャンネルに０．６ｍｍの金属板である表面板を固定したドアの全重量は約４０ｋｇと相当に重くなる。軽量化するために、Ｃチャンネルを薄くすると強度が著しく低下する欠点がある。Ｃチャンネルがドアの補強材に使用されているからである。重いドアは、建物への取り付け部分に強靱な強度を要求する。ドアを開閉するときに、取り付け部分に強い衝撃を与えるからである。このためドアのコストが高くなるばかりでなく、取り付け部分のコストも高くなる欠点がある。
【０００４】
さらに、図１に示す構造のドアは、表面板の加工に極めて高い精度が要求される。加工精度の誤差が、組み立て後におけるクリアランスの差となって、ドアの品質を低下させるからである。このため、この構造のドアは、部品コストと加工コストの両方が高くなって、製造コストが相当に高くなる欠点がある。
【０００５】
本発明者は、この欠点を解消することを目的として、図２に示す構造のフレームレスドアを開発した。（特許文献１）
このフレームレスドアは、以下の構造を備える。    
（ａ） 第１の表面板８１と第２の表面板８２と、一対の表面板の間の中空部に配設されている芯材８５とを備える。
（ｂ） 第１の表面板８１は両側をコ字状に折曲して、所定の厚さのフレームレスドアの両側部を構成し、ドアの両側部の間に開口部を形成している。
（ｃ） 第１の表面板８１は、折曲部８３の先端縁に、第２の表面板８２の両側縁を連結する連結部８４を設けている。
（ｄ） 第２の表面板８２を第１の表面板８１に固定して、第１の表面板８１と第２の表面板８２とで閉鎖構造のフレームレスドアを構成できるように、第２の表面板８２は、第１の表面板８１の開口部に固定できる外形に形成している。
（ｅ） 第１の表面板８１の連結部８４に、第２の表面板８２の両側縁が連結されて中空箱形のフレームレスドアを構成している。
【特許文献１】特開平７−３０５５７３号公報
【発明の開示】
【発明が解決しようとする課題】
【０００６】
以上のフレームレスドアは、片面に縦に延長して２列の境界線ができることから、境界線がドアのデザインを制約し、縦線のないすっきりとしたデザインにできない欠点がある。さらに、この構造のフレームレスドアは、両面をバランスよく同じ強度とするのが難しい。それは、第２の表面板の幅がドアの全幅よりも狭く、この両側をドアの片面で連結しているからである。
【０００７】
本発明は、さらにこの欠点を解決することを目的に開発されたものである。本発明の重要な目的は、製造コストを低減しながら、すっきりと美しいデザインにでき、しかも両面をバランスよく十分な強度にできる建物用のフレームレスドアを提供することにある。
【課題を解決するための手段】
【０００８】
本発明の建物用のフレームレスドアは、前述の目的を達成するために以下の構成を備える。
建物用のフレームレスドアは、ドアの第１の表面に固定している第１の表面板１と、ドアの第１の表面と反対側の面である第２の表面に固定している第２の表面板２とを備える。第１の表面板１と第２の表面板２は金属板である。第１の表面板１と第２の表面板２は、その側縁に沿って、一方にはドアの内側に折曲されてなる挿入片３を、他方にはこの挿入片３の挿入位置に挿入溝４を設けている。第１の表面板１と第２の表面板２は、挿入片３を挿入溝４に挿入して、両側の側縁で連結している。さらに、第１の表面板１は、一方の側縁である第１の側縁に沿って折り返すように折曲されたＵ曲積層部６を備える。さらに、このＵ曲積層部６の内側に積層している内側積層片７は、ドアの内側に直角に折曲してなる補強片８を有すると共に、この補強片８を、挿入片３又はドアの側面をカバーする側面プレート９としている。
【０００９】
さらに、本発明の請求項２の建物用のフレームレスドアは、第１の表面板１の一方の側縁に設けたＵ曲積層部６を防犯用目板５としている。
【００１０】
本発明の請求項３の建物用のフレームレスドアは、第１の表面板１の補強片８を挿入片３とし、第２の表面板２は、金属板を折曲加工して、第１の表面板１の挿入片３の挿入位置に挿入溝４を設けている。このフレームレスドアは、第２の表面板２の挿入溝４に第１の表面板１の挿入片３を挿入して、第１の表面板１と第２の表面板２とを側縁で連結している。
【００１１】
本発明の請求項４の建物用のフレームレスドアは、第１の表面板１が両側縁に挿入片３を備え、第２の表面板２が両側縁に挿入溝４を有し、挿入片３を挿入溝４に入れて第１の表面板１と第２の表面板２を連結している
【００１２】
本発明の請求項５の建物用のフレームレスドアは、第１の表面板１の補強片８を側面プレート９とし、この側面プレート９の先端に挿入溝４を連結して設けており、第２の表面板２は、金属板を折曲加工して、第１の表面板１の挿入溝４に挿入される挿入片３を側縁に沿って設けている。このフレームレスドアは、第１の表面板１の挿入溝４に第２の表面板２の挿入片３を挿入して、第１の表面板１と第２の表面板２とを側縁で連結している。
【００１３】
本発明の請求項６の建物用のフレームレスドアは、第１の表面板１が両側縁に挿入溝４を備え、第２の表面板２が両側縁に挿入片３を備え、挿入片３を挿入溝４に入れて第１の表面板１と第２の表面板２を連結している。
【００１４】
本発明の請求項７の建物用のフレームレスドアは、第１の表面板１と第２の表面板２の上縁に沿って上枠１１を、下縁に沿って下枠１２を内蔵しており、第１の表面板１と第２の表面板２の上縁を上枠１１に固定し、下縁を下枠１２に固定している。
【００１５】
本発明の請求項８の建物用のフレームレスドアは、第１の表面板１と第２の表面板２の側縁の蝶番１４を固定する位置に固定台１６を内蔵している。
【００１６】
本発明の請求項９の建物用のフレームレスドアは、第１の表面板１と第２の表面板２の側縁のドアロック１５を固定する位置に固定台１７を内蔵しいる。
【発明の効果】
【００１７】
本発明の建物用のフレームレスドアは、製造コストを低減しながら、すっきりと美しいデザインにでき、さらにドアの両面を十分な強度にできる特徴がある。それは、本発明のフレームレスドアが、第１の表面板と第２の表面板の側縁を、一方の表面板に設けた挿入片を、他方の表面板に設けた挿入溝に挿入して互いに連結し、さらに、第１の表面板は、第１の側縁にＵ曲積層部を設け、このＵ曲積層部の内側積層片には、内側に直角に折曲している補強片を設けて、この補強片を、挿入片又は側面プレートとしているからである。とくに、本発明のフレームレスドアは、第１の表面板の側縁にＵ曲積層部を設けると共に、このＵ曲積層部の先端縁を内側に折曲して補強片としている。金属板をＵ曲して積層するように折曲加工しているＵ曲積層部は、表面板で十分な強度を実現し、さらに、このＵ曲積層部は内側積層片を直角に折曲して補強片としている。補強片は、Ｕ曲積層部に直角な姿勢にあって、Ｕ曲積層部の補強リブとして作用する。このため、補強片がＵ曲積層部をさらに補強して、ドアの側縁を強靱な構造に補強する。
【００１８】
さらに、本発明の請求項２の建物用のフレームレスドアは、請求項１の構成に加えて、第１の表面板の一方の側縁に設けたＵ曲積層部で防犯用目板を構成している。この構造のフレームレスドアは、ドアを閉めるときに大きな衝撃が作用する防犯用目板を、Ｕ曲積層部と補強片とで強靱な構造にできる。とくに、内部に縦枠を設けることなく、防犯用目板を強靱な構造にできる特徴が実現される。
【００１９】
さらに、本発明の請求項３のフレームレスドアは、補強片を挿入片として、この挿入片を第２の表面板の挿入溝に挿入して結合しているので、挿入片と挿入溝とで少なくとも３層の金属板が積層状態に結合される。このため、挿入片が挿入溝に挿入される部分がＵ曲積層部を強靱な構造に補強する。
【００２０】
また、本発明の請求項５のフレームレスドアは、第１の表面板の補強片を側面プレートとして側面プレートの先端に挿入溝を設けており、さらに、第２の表面板は、金属板を折曲加工して、第１の表面板の挿入溝に挿入される挿入片を側縁に沿って設けており、第１の表面板の挿入溝に第２の表面板の挿入片を挿入して、第１の表面板と第２の表面板を側縁で連結している。この構造のフレームレスドアは、Ｕ曲積層部が側面プレートの補強片で補強され、さらに、この側面プレートの先端部が、挿入片を挿入溝に挿入する３層積層状態の金属板で補強される。このため、側面プレートと挿入溝と挿入片とで、第１の表面板のＵ曲積層部を強靱な構造に補強することができる。
【発明を実施するための最良の形態】
【００２１】
以下、本発明の実施例を図面に基づいて説明する。ただし、以下に示す実施例は、本発明の技術思想を具体化するための建物用のフレームレスドアを例示するものであって、本発明はフレームレスドアを以下の実施例には特定しない。
【００２２】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２３】
図３ないし図５は、本発明の第１の実施例にかかる建物用のフレームレスドアの正面図、水平断面図及び垂直断面図を示し、図６と図７は、本発明の第２の実施例にかかるフレームレスドアの水平断面図及び垂直断面図を示している。これ等の図に示すフレームレスドアは、第１の表面（図４と図６においてドアの下面）に固定している第１の表面板１と、ドアの第１の表面と反対側の面である第２の表面（図４と図６においてドアの上面）に固定している第２の表面板２と、第１の表面板１と第２の表面板２の上縁と下縁に固定している上枠１１及び下枠１２を備える。
【００２４】
第１の表面板１と第２の表面板２は金属板である。表面板の金属板は、たとえば、厚さ０．５ｍｍ〜０．８ｍｍとする鉄又は鉄合金からなる金属板である。金属板は、表面をプリントし、あるいは化粧シートを接着して綺麗に表面処理している。第１の表面板１と第２の表面板２は、その側縁に沿って、一方にはドアの内側に折曲されてなる挿入片３を、他方にはこの挿入片３の挿入位置に挿入溝４を設けており、挿入片３を挿入溝４に挿入して、第１の表面板１と第２の表面板２を両側の側縁で連結している。第１の表面板１と第２の表面板２は、ドアの外側表面の全面を覆う四角形で、両側縁を折曲加工している。
【００２５】
第１の表面板１は、一方の側縁（図４と図６において右側縁）である第１の側縁に沿って折り返すように折曲されてＵ曲積層部６からなる防犯用目板５を設けている。さらに、この防犯用目板５を構成するＵ曲積層部６の内側に積層している内側積層片７は、ドアの内側に直角に折曲している補強片８を設けている。
【００２６】
図４のフレームレスドアは、第１の表面板１の補強片８を挿入片３としている。Ｕ曲積層部６の補強片８の挿入片３は、第２の表面板２に設けている挿入溝４に挿入して連結される。図４のフレームレスドアは、第２の表面板２の第１の側縁において、金属板を折曲加工して、第１の表面板１の挿入片３の挿入位置に挿入溝４を設けている。このフレームレスドアは、第２の表面板２の挿入溝４に第１の表面板１の挿入片３を挿入して、第１の表面板１と第２の表面板２を側縁で連結している。図４のフレームレスドアの第１の表面板１は、Ｕ曲積層部６の幅を広くして、Ｕ曲積層部６の先端部を防犯用目板５としている。
【００２７】
図４のフレームレスドアは、第１の表面板１の両側縁にＵ曲積層部６を設け、このＵ曲積層部６の先端部を挿入片３としている。第１の表面板１の第１の側縁に設けたＵ曲積層部６は防犯用目板５とするが、第２の側縁に設けたＵ曲積層部６は、ドアの側面から突出せず防犯用目板とならない。第２の側縁のＵ曲積層部６は、ドアの側面から突出しないので、防犯用目板５となる第１の側縁に設けているＵ曲積層部６よりも幅を狭くしている。
【００２８】
図４に示すように、第１の表面板１の第１の側縁に設けたＵ曲積層部６を防犯用目板５とするフレームレスドアは、ドア枠とドアの間にできる隙間を防犯用目板５で閉塞できるので、防犯性に優れたドアを実現できる。ただ、本発明のフレームレスドアは、必ずしも防犯用目板を設ける必要はない。防犯用目板のないフレームレスドアは、たとえば、図８に示すように、第１の表面板１の第１の側縁に設けたＵ曲積層部６の幅を狭くして、いいかえると、Ｕ曲積層部６の先端部をドアの側面から突出しない構造とする。この構造のフレームレスドアは、左右対称であって、表と裏が同じ形状となる。
【００２９】
第２の表面板２は、第１の側縁と第２の側縁を内側に直角に折曲して、ドアの側面プレート９を設けている。側面プレート９は、その幅をドアの厚さとしている。さらに、側面プレート９の先端縁を内側に直角に折曲して、折り返して、第１の表面板１の内面に面接触させる折返片１０としている。折返片１０は、その先端に設けている挿入溝４を、第１の表面板１の挿入片３を挿入する位置とする幅としている。折返片１０の先端は、さらに内側に直角に折曲すると共に、溝形に折曲して挿入溝４を設けている。挿入溝４は、挿入される挿入片３を弾性的に挟着する幅に折曲加工している。
【００３０】
図６のフレームレスドアは、第１の表面板１の両側縁に挿入溝４を設けて、第２の表面板２に挿入片３を設けている。このフレームレスドアは、第１の表面板１のＵ曲積層部６の内側積層片７に連結している補強片８を側面プレート９としている。第１の表面板１は、両側縁に側面プレート９を設けている。第１の側縁の側面プレート９は、Ｕ曲積層部６の内側積層片７に連結している補強片８で構成される。第２の側縁は、内側に直角に折曲して側面プレート９としている。側面プレート９の先端縁に挿入溝４を設けている。側面プレート９は、その先端縁を折り返すように折曲し、さらに挿入溝４の底で折り返すように折曲して、挿入溝４を設けている。挿入溝４は、挿入片３の挿入方向が、側面プレート９と平行な方向となる。第２の表面板２は、両側縁を内側に折曲して挿入片３としている。
【００３１】
フレームレスドアは、図５と図７の断面図に示すように、第１の表面板１と第２の表面板２の上縁に沿って上枠１１を、下縁に沿って下枠１２を内蔵する。第１の表面板１と第２の表面板２は、上縁を上枠１１に固定し、下縁を下枠１２に固定している。上枠１１と下枠１２は、表面板よりも厚い金属板を溝形に折曲加工しているチャンネル材である。チャンネル材の上枠１１は、溝の開口部を上向きとし、下枠１２は溝の開口部を下向きとして、第１の表面板１と第２の表面板２の間に固定している。さらに、これ等の図に示すフレームレスドアは、第１の表面板１と第２の表面板２の上縁と下縁を互いに内側に直角に折曲して積層し、積層部１３を結合している。表面板の積層部１３は、スポット溶接し、あるいはリベットで連結し、あるいはまた接着して結合される。
【００３２】
さらに、フレームレスドアは、図３の正面図に示すように、蝶番１４とドアロック１５を固定する位置に固定台１６、１７を内蔵している。固定台１６、１７は、表面板よりも厚い鉄などの金属材をコ字状に折曲加工しているチャンネル材１８である。チャンネル材１８は、ドアの内幅に等しい幅の固定プレート１８Ａの両側に側壁１８Ｂを有し、横断面形状をコ字状としている。
【００３３】
蝶番１４を固定する固定台１６は、図４に示すように、ドアの側面プレート９の内面に固定プレート１８Ａを接触して固定される。この固定台１６は、表面板に接着して固定され、あるいは止ネジ１９で固定される。蝶番１４は、止ネジ１９を、固定台１６であるチャンネル材１８の固定プレート１８Ａにねじ込んで固定される。図３のフレームレスドアは、上下の２カ所に固定台１６を内蔵して、ふたつの蝶番１４を固定している。
【００３４】
ドアロック１５を固定するチャンネル材１８の固定台１７は、溝の開口部をドアの側面プレート９で閉塞するように、第１の表面板１と第２の表面板２の間に固定される。固定台１７を表面板の内側に固定する部分である、図３におけるＣ−Ｃ線の断面図を図９に示している。この固定台１７は、チャンネル材１８の背面に、ドアロック１５のケース１５Ａを内蔵するコ字金具２０を固定している。コ字金具２０は、ドアロック１５のケース１５Ａからドアの外部に突出するドアノブ２１を挿通するための貫通孔２０Ａを設けている。このコ字金具２０は、第１の表面板１と第２の表面板２を裏面から補強する。したがって、コ字金具２０は、第１の表面板１と第２の表面板２の内面に密着する幅、すなわちドアの内幅に等しく、表面板の内面に接着して固定される。コ字金具２０は、広い面積で表面板の裏面に接着されて、強固に固定される。固定台１７は、コ字金具２０に溶接などの方法で固定され、コ字金具２０を介してドアの内面に固定される。
【００３５】
固定台１７は、固定プレート１８Ａにドアロック１５の取付プレート１５Ｂが止ネジ２２で固定される。取付プレート１５Ｂは、取付高さを調整できる調整台２３を介して固定プレート１８Ａに固定される。調整台２３は、表面板よりも厚い金属板を、コ字状に折曲してその先端を外側に直角に折曲して固定片２３Ａを設けた形状としている。両側の固定片２３Ａには、調整台２３を固定プレート１８Ａに調整ネジ２４で固定するための第１の雌ネジ孔２５を設けている。さらに、コ字状の突出部２３Ｂにはドアロック１５の取付プレート１５Ｂを止ネジ２２で固定する第２の雌ネジ孔２６を設けている。
【００３６】
調整台２３を固定台１７に連結する状態を図１０の分解斜視図に示している。ドアロック１５は、以下の方法で固定台１７に固定される。
（１）調整台２３の両側を、調整ネジ２４で固定プレート１８Ａに固定する。固定プレート１８Ａには、調整ネジ２４をねじ込む位置に第１の雌ネジ孔２５を設けている。調整ネジ２４は、調整台２３の固定片２３Ａを固定プレート１８Ａに重ねる状態で、固定片２３Ａと固定プレート１８Ａの第１の雌ネジ孔２５にねじ込まれる。調整ネジ２４は、ドアロック１５の取付プレート１５Ｂの位置を特定する。それは、図９の断面図に示すように、調整ネジ２４のねじ頭２４Ａを取付プレート１５Ｂの裏面に当接して、取付プレート１５Ｂの位置を調整するからである。したがって、調整ネジ２４は、取付プレート１５Ｂを定位置に固定できる位置までねじ込まれる。
（２）止ネジ２２を介してドアロック１５の取付プレート１５Ｂを調整台２３に連結する。この止ネジ２２は、取付プレート１５Ｂを貫通して、調整台２３の突出部２３Ｂに設けた第２の雌ネジ孔２６にねじ込まれる。止ネジ２２がねじ込まれると、取付プレート１５Ｂの裏面が調整ネジ２４のねじ頭２４Ａに接触する。この状態で、止ネジ２２をねじ込んで、取付プレート１５Ｂを調整台２３に固定する。
【００３７】
以上のように、調整台２３を介してドアロック１５を固定台１７に固定する構造は、種々のドアロック１５の取付プレート１５Ｂを、ドアの正確な高さに固定できる。ドアに固定されるドアロック１５は、形状や寸法が同一でない。このため、従来は、取付プレートの固定位置を調整しながらドアに取り付けしていたので、取り付けに手間がかかる欠点があった。以上の調整台２３を介してドアロック１５をドアに固定する構造は、形状や寸法が異なるドアロックの取付プレートを、ドアに最適な高さに調整して固定できる。取付プレート１５Ｂは、ドアの側面プレート９に対して特定の高さに固定する必要がある。それは、取付プレート１５Ｂの表面にカバー２７を固定して、このカバー２７を側面プレート９と同一面とするからである。
【００３８】
以上のフレームレスドアは、以下の工程で組み立てられる。
（１）第１の表面板１の内面に上枠１１と下枠１２と固定台１６、１７を接着して固定する。
（２）第１の表面板１に第２の表面板２を連結すると共に、第２の表面板２の内面を上枠１１と下枠１２と固定台１６、１７に接着する。表面板は、挿入片３を挿入溝４に挿入して連結される。このとき、挿入片３と挿入溝４は接着して結合される。
（３）第１の表面板１と第２の表面板２は、上側縁と下側縁の積層部１３を接着して結合する。
（４）表面板に固定している固定台１７に、調整台２３を介してドアロック１５の取付プレート１５Ｂを固定する。
【図面の簡単な説明】
【００３９】
【図１】従来の一般的なドアの水平断面図である。
【図２】従来のフレームレスドアの分解断面図である。
【図３】本発明の一実施例にかかるフレームレスドアの正面図である。
【図４】図３に示すフレームレスドアのＡ−Ａ線断面図である。
【図５】図３に示すフレームレスドアのＢ−Ｂ線断面図である。
【図６】本発明の他の実施例にかかるフレームレスドアの水平断面図である。
【図７】図６に示すフレームレスドアの垂直断面図である。
【図８】本発明の他の実施例にかかるフレームレスドアの水平断面図である。
【図９】図３に示すフレームレスドアのＣ−Ｃ線断面図である。
【図１０】図９に示すフレームレスドアのドアロックの連結構造を示す分解斜視図である。
【符号の説明】
【００４０】
１…第１の表面板
２…第２の表面板
３…挿入片
４…挿入溝
５…防犯用目板
６…Ｕ曲積層部
７…内側積層片
８…補強片
９…側面プレート
１０…折返片
１１…上枠
１２…下枠
１３…積層部
１４…蝶番
１５…ドアロック                  １５Ａ…ケース
１５Ｂ…取付プレート
１６…固定台
１７…固定台
１８…チャンネル材                １８Ａ…固定プレート
１８Ｂ…側壁
１９…止ネジ
２０…コ字金具                    ２０Ａ…貫通孔
２１…ドアノブ
２２…止ネジ
２３…調整台                      ２３Ａ…固定片
２３Ｂ…突出部
２４…調整ネジ                    ２４Ａ…ねじ頭
２５…第１の雌ネジ孔
２６…第２の雌ネジ孔
２７…カバー
８１…第１の表面板
８２…第２の表面板
８３…折曲部
８４…連結部
８５…芯材
９１…フレーム
９２…表面板
９３…Ｃチャンネル
【図１】
2009024399.tif 000003
【図２】
2009024399.tif 000004
【図３】
2009024399.tif 000005
【図４】
2009024399.tif 000006
【図５】
2009024399.tif 000007
【図６】
2009024399.tif 000008
【図７】
2009024399.tif 000009
【図８】
2009024399.tif 000010
【図９】
2009024399.tif 000011
【図１０】
2009024399.tif 000012